(57)【要約】本願は、情報を公開する方法及び装置を提供する。その解決策は、ユーザの入力情報を受信することと、１つ以上のキーワードを当該ユーザの当該入力情報から抽出することと、少なくとも２つのデータオブジェクトを取得するために、当該１つ以上のキーワードに基づいて、検索を実施することであって、各データオブジェクトは、少なくとも１つの写真を含む、当該検索を実施することと、当該少なくとも２つのデータオブジェクトのそれぞれの写真から少なくとも一部の画像を抽出することと、抽出された当該少なくとも一部の画像によって合成画像を生成することと、当該合成画像を当該ユーザに送信することと、を含む。本願によって提供された技術的な解決策を使用して、公開済情報は、既に、単体のデータオブジェクトの情報ではないが、複数のデータオブジェクトの情報の組み合わせであるため、情報公開後の表示効果がより良好になる。
2018509684.tif 000002
【特許請求の範囲】
【請求項１】
情報公開方法であって、
ユーザの入力情報を受信することと、
１つ以上のキーワードを前記ユーザの前記入力情報から抽出することと、
少なくとも２つのデータオブジェクトを取得するために、前記１つ以上のキーワードに基づいて、検索を実施することであって、各データオブジェクトは、少なくとも１つの写真を含む、ことと、
少なくとも一部の画像を前記少なくとも２つのデータオブジェクトのそれぞれの写真から抽出することと、
抽出された前記少なくとも一部の画像に基づいて、合成画像を生成することと、
前記合成画像を前記ユーザに送信することと
を含む方法。
【請求項２】
前記合成画像はさらに、各データオブジェクトのリンク情報を含む、請求項１に記載の方法。
【請求項３】
前記データオブジェクトは、異なる分類で、前記検索を実施することによって取得される、請求項１に記載の方法。
【請求項４】
前記少なくとも２つのデータオブジェクトを取得するために前記１つ以上のキーワードに基づいて前記検索を実施した後に、前記方法はさらに、各データオブジェクトの識別子を決定することを含み、前記合成画像はさらに、各データオブジェクトの前記識別子を含む、請求項１に記載の方法。
【請求項５】
抽出された前記少なくとも一部の画像に基づいて、前記合成画像を生成することは、
異なるサイズ及び／または位置によって、前記データオブジェクトの前記一部の画像を合成し、指定サイズの合成画像を生成することと
を含む、請求項１に記載の方法。
【請求項６】
前記データオブジェクトは、複数の商業店舗において前記検索を実施することにより取得される、請求項１に記載の方法。
【請求項７】
情報公開装置であって、
ユーザの入力情報を受信するように構成される受信モジュールと、
１つ以上のキーワードを前記ユーザの前記入力情報から抽出し、少なくとも２つのデータオブジェクトを取得するために前記１つ以上のキーワードに基づいて検索を実施するように構成される、データオブジェクト検索モジュールであって、各データオブジェクトは、少なくとも１つの写真を備える、データオブジェクト検索モジュールと、
少なくとも一部の画像を前記少なくとも２つのデータオブジェクトのそれぞれの写真から抽出し、抽出された前記少なくとも一部の画像に基づいて合成画像を生成するように構成される、生成モジュールと、
前記合成画像を前記ユーザに送信するように構成される送信モジュールと、
を備えた情報公開装置。
【請求項８】
前記生成モジュールは、抽出された前記少なくとも一部の画像及び各データオブジェクトのリンク情報に基づいて、前記合成画像を生成するように構成される、請求項７に記載の装置。
【請求項９】
前記データオブジェクト検索モジュールは、前記少なくとも２つのデータオブジェクトを取得するために、異なる分類で検索するように構成される、請求項７に記載の装置。
【請求項１０】
少なくとも２つのデータオブジェクトを取得するために、前記１つ以上のキーワードに基づいて前記検索が実施された後に、各データオブジェクトの識別子を決定するように構成される識別子決定モジュールをさらに備え、前記生成モジュールはさらに、抽出された前記少なくとも一部の画像及び各データオブジェクトの前記識別子に基づいて、前記合成画像を生成するように構成される、請求項７に記載の装置。
【請求項１１】
前記生成モジュールは、異なるサイズ及び／または位置によって、前記データオブジェクトの前記一部の画像を合成し、指定サイズの合成画像を生成するように構成される、請求項７に記載の装置。
【請求項１２】
前記データオブジェクト検索モジュールは、前記少なくとも２つのデータオブジェクトを取得するために、複数の商業店舗において前記検索を実施するように構成される、請求項７に記載の装置。
【発明の詳細な説明】
【技術分野】
【０００１】
本願は、インターネット技術の分野に関し、特に、情報を公開するための方法及び装置に関する。
【背景技術】
【０００２】
現在、店主が情報を公開するとき、サーバは、クライアント端末に公開される単体のデータオブジェクトの画像を送信し、フロントエンドページ上に画像を表示する。店主によって公開される単体のデータオブジェクトの情報のみが、公開後に、フロントエンドページ上でユーザに対して表示され、公開のこのような様式で公開後に表示された情報は、あまり多様化されておらず、不十分な表示効果をもたらす。
【０００３】
既存の技術の欠陥は、情報公開後に、単体のデータオブジェクトの情報のみを表示することを含み、不十分な表示効果をもたらす。
【発明の概要】
【０００４】
本願の実施形態は、既存の技術において、情報公開後に単体のデータオブジェクトの情報のみを表示することに起因する不十分な表示効果の問題を解決するために、情報を公開する方法及び装置を提供する。
【０００５】
本願の一実施形態は、ユーザの入力情報を受信することと、１つ以上のキーワードを当該ユーザの当該入力情報から抽出することと、当該１つ以上のキーワードに基づいて少なくとも２つのデータオブジェクトを取得するために検索することであって、各データオブジェクトは、少なくとも１つの写真を含む、当該検索することと、少なくとも一部の画像を当該少なくとも２つのデータオブジェクトのそれぞれの写真から抽出することと、当該画像の当該少なくとも抽出された一部に基づいて、合成画像を生成することと、当該合成画像を当該ユーザに送信することと、を含む、情報公開方法を提供する。
【０００６】
本願の一実施形態は、ユーザの入力情報を受信するように構成される受信モジュールと、１つ以上のキーワードを当該ユーザの当該入力情報から抽出し、当該１つ以上のキーワードに基づいて少なくとも２つのデータオブジェクトを取得するために検索するように構成されるデータオブジェクト検索モジュールであって、各データオブジェクトは、少なくとも１つの写真を含む、当該データオブジェクト検索モジュールと、当該少なくとも２つのデータオブジェクトのそれぞれの写真から少なくとも画像の一部を抽出し、当該画像の当該少なくとも抽出された一部に基づいて合成画像を生成するように構成される生成モジュールと、当該合成画像を当該ユーザに送信するように構成される送信モジュールと、を含む、情報公開装置を提供する。
【０００７】
有益な効果は、以下のことを含む。
【０００８】
当該本願の実施形態では、最初に、ユーザの入力情報が受信され、１つ以上のキーワードが、当該入力情報から抽出される。検索することは、少なくとも２つのデータオブジェクトを取得するために当該１つ以上のキーワードに基づいて実施され、各データオブジェクトは、少なくとも１つの写真を含む。少なくとも一部の画像は、当該少なくとも２つのデータオブジェクトのそれぞれの写真から抽出され、合成画像は、当該画像の当該少なくとも抽出された一部に基づいて生成される。最後に、当該合成画像は、当該ユーザに送信される。このように、情報が公開されたとき、当該公開済情報は、既に、単体のデータオブジェクトの情報ではないが、複数のデータオブジェクトの情報の組み合わせになっている。従って、複数のデータオブジェクトの合成画像は、当該ユーザに提供される。より良好な表示効果は、このような様式の情報公開が公開のために採用された後に達成される。
【図面の簡単な説明】
【０００９】
具体的な本願の複数の実施形態は、付随の図面を参照して以下で説明されるであろう。
【図１】本願の一実施形態による、情報公開方法の実施態様の概略的フローチャートを示す。
【図２】本願の一実施形態による、情報公開の前後の概略図を示す。
【図３】本願の一実施形態による、情報公開装置の概略的構造図を示す。
【発明を実施するための形態】
【００１０】
本願の複数の例示的実施形態は、本願の技術的な解決策及び利点をさらに明確にするために、付随の図面を参照して、以下でさらに詳細に説明される。明らかに、説明される実施形態は、本願の複数の実施形態の一部のみを表し、その全てを表さない。さらに、矛盾がない場合には、本明細書の実施形態及び実施形態の特徴は、相互に組み合わせられてもよい。
【００１１】
既存の技術の欠陥を解決するために、本願の複数の実施形態は、情報を公開する方法及び装置を提供し、これは、以下に説明される。
【００１２】
図１は、本願の一実施形態による、情報公開方法の実施態様を例証する概略的フローチャートを示す。図に示されるように、情報公開方法は、以下の方法ブロックを含んでもよい。
【００１３】
方法ブロック１０１は、ユーザの入力情報を受信する。
【００１４】
方法ブロック１０２は、１つ以上のキーワードをユーザの入力情報から抽出する。
【００１５】
方法ブロック１０３は、１つ以上のキーワードに基づいて、少なくとも２つのデータオブジェクトを検索及び取得し、各データオブジェクトは、少なくとも１つの写真を含む。
【００１６】
方法ブロック１０４は、少なくとも一部の画像を少なくとも２つのデータオブジェクトのそれぞれの写真から抽出する。
【００１７】
方法ブロック１０５は、抽出された少なくとも画像の一部に基づいて、合成画像を生成する。
【００１８】
方法ブロック１０６は、合成画像をユーザに送信する。
【００１９】
衣類の組み合わせを公開することは、一実施例として使用される。キーワードは、例えば、「韓国風」及び「日本風」等のスタイルキーワードであってもよく、代替として、「ヨーロッパ式家具」等のキーワードであってもよい。検索することは、少なくとも２つのデータオブジェクトを取得するために、１つ以上のキーワードによって実施される。具体的には、２着の韓国風衣類または１着の韓国風衣類及び１個の韓国風ネックレス等の少なくとも２つの品物は、例えば、「韓国風」及び「日本風」等のスタイルキーワードによって決定されてもよい。これらの品物は、ぞれぞれ、正面写真、背面写真等であり得る、少なくとも１つの品物の表示写真を含む。
【００２０】
既存のキーワード抽出技術は、１つ以上のキーワードをユーザの入力情報から抽出するために採用されてもよい。１つ以上のキーワードによって少なくとも２つのデータオブジェクトを検索及び取得することは、入力設定として、これらのキーワードを使用して加重モデルを確立することと、少なくとも２つのデータオブジェクトを取得するために、そこで意味検索を実施することとを含んでもよい。既存の技術は、具体的な実施態様のために採用されてもよい。本願は、キーワードを抽出する具体的な方法、キーワードによるデータオブジェクトの検索方法などに、いかなる制限も課さない。
【００２１】
具体的な実施態様では、少なくとも一部の画像は、少なくとも２つのデータオブジェクトのそれぞれの写真から抽出される。一次画像は、ベイズ等のカットアウトアルゴリズムを使用して、データオブジェクトの写真から切り取られてもよく、色、テクスチャ、及び形状等の画像特徴値は、分析及び高次インデックス作成等の動作を行うために、一次画像から抽出される。加えて、濃色及び色調整等の画像処理は、画像の抽出された一部上で実施されてもよい。全てのこれらの画像処理動作の具体的な手順は、既存の画像処理技術を採用してもよく、本明細書には詳細に説明されない。
【００２２】
合成画像はさらに、各データオブジェクトの写真のそれぞれの写真経路等の他の情報を含んでもよい。
【００２３】
例示的情報公開方法は、ユーザの入力情報を受信すると、ユーザの入力情報に従って、１つ以上のキーワードを抽出し、少なくとも１つの写真を含む各データオブジェクトを伴う少なくとも２つのデータオブジェクトを取得するために、キーワードによる検索を実施し、それぞれの写真から少なくとも一部の画像を抽出し、ユーザにその後に送信される一部の画像に基づいて合成画像を生成する。このように、複数のデータオブジェクトの写真を含む合成画像はユーザに提供される。従って、公開済情報は、既に、単体のデータオブジェクトのみの情報ではないが、複数のデータオブジェクトの情報の組み合わせである。
【００２４】
一実施態様では、合成画像はさらに、各データオブジェクトのリンク情報を含んでもよい。
【００２５】
衣類の組み合わせを公開することが、一実施例として使用されるために継続される。各データオブジェクトのリンク情報は、トレンチコートの詳細ページのユニフォームリソースロケーター（ＵＲＬ）アドレス等のそれぞれの品物の詳細ページのＵＲＬアドレスであってもよい。
【００２６】
各データオブジェクトのリンク情報の位置は、合成画像内におけるそれぞれのデータオブジェクトと関連付けられる画像の一部の位置に設定されてもよい。ユーザがデータオブジェクトと関連付けられる画像のその一部クリックするとき、データオブジェクトのリンク情報は、自動的にアクセスされてもよい。例えば、トレンチコートの詳細ページのＵＲＬアドレスは、トレンチコートの画像の同一の位置に位置してもよい。そのため、トレンチコートの詳細ページは、ユーザがトレンチコートの画像をクリックすると、自動的にジャンプされてもよい。
【００２７】
具体的な実施態様では、上記の位置決めは、既存の技術のｉｍｇラベルのマップ及びエリア属性を使用して、実行されてもよい。一実施態様の詳細は、以下のものを含んでもよい。
【００２８】
2018509684.tif 000003
【００２９】
上記のコードは、ｉｍｇラベルのマップ及びエリア属性を使用する、ＵＲＬアドレスの位置決めの実施態様である。当業者はまた、本願に限定されない他の様式で位置決めを実行してもよい。
【００３０】
具体的な実施態様では、上記の位置決め等の動作は、実施されない場合があり、各データオブジェクトのリンク情報を含む合成画像は、ユーザに直接送信される。この場合、ユーザに現れる効果は、データオブジェクトのリンク情報及びデータオブジェクトと関連付けられる画像の一部を別々に表示することを含んでもよい。例えば、トレンチコートのリンク情報及びスカーフのリンク情報は、トレンチコート及びスカーフ等の画像の下に表示されてもよい。このタイプの合成画像の表示効果は、位置決めの使用後の表示効果と同じくらい良好ではないが、これらの２つの方法は、具体的な使用で採用されることができ、当業者は、実際の要求に従って、１つを選択することができる。
【００３１】
各データオブジェクトのリンク情報を合成画像内に含めることによって、本願の実施形態は、ユーザが、合成画像を視認するとき、それぞれのデータオブジェクトのリンク情報にさらにアクセスすることを可能にし、これは、便利及び効率的であり、従って、ユーザ経験をさらに向上させる。
【００３２】
表示効果が両方とも同一の分類（例えば、トレンチコート及びトレンチコートの組み合わせ）から生じる合成画像内のデータオブジェクトに起因するユーザの実際の要求を満たすことができない問題を避けるために、本願の実施形態はさらに、以下の様式で実行されることができる。
【００３３】
一実施態様では、データオブジェクトは、異なる分類下で、検索を実施することによって取得されてもよい。
【００３４】
例えば、検索することは、韓国風の衣類、アクセサリ、シューズ、またはバッグ等の少なくとも２つの品物を取得するために、キーワード「韓国風」によって、衣類、アクセサリ、シューズ、及びバッグ等の異なる分類で実施されてもよい。そのため、生成される合成画像は、同一の分類下の品物の代わりに、複数の分類下の品物を含む。
【００３５】
本願の実施形態は、少なくとも２つのデータオブジェクトを取得するために、キーワードによる異なる分類で検索することを実施し、最後に、異なる分類のデータオブジェクトと関連付けられるそれぞれの画像の一部を合成し、その結果、合成画像は、ユーザのマッチング要求により近くなる。異なる分類のデータオブジェクトの合成画像は、ユーザに提供され、従って、合成画像によってもたらされる表示効果をさらに向上させる。
【００３６】
一実施態様では、１つ以上のキーワードに基づいて検索を実施することによって少なくとも２つのデータオブジェクトを取得した後に、情報公開方法はさらに、各データオブジェクトの識別子を決定することを含んでもよい。合成画像はさらに、各データオブジェクトの識別子を含んでもよい。
【００３７】
各データオブジェクトの識別子は、既存のアルゴリズムまたはあるルール（複数可）に従って、生成されるキーワード（複数可）であってもよい。例えば、「Ｄｉｏｒ  ｐｅｒｆｕｍｅ  Ｊ’Ａｄｏｒｅ  ｓｅｒｉｅｓ」の品物は、一実施例として使用される。品物の識別子は、「Ｄｉｏｒ  ｐｅｒｆｕｍｅ」または「Ｊ’Ａｄｏｒｅ  ｓｅｒｉｅｓ」等のキーワードを含んでもよい。本願は、各データオブジェクトの識別子及び識別子を生成する具体的な様式に、いかなる制限も課さない。
【００３８】
具体的な実施態様では、各データオブジェクトの識別子は、合成画像内のそれぞれのデータオブジェクトと関連付けられる画像の一部の位置にラベリングされてもよい。
【００３９】
合成画像内のそれぞれのデータオブジェクトと関連付けられる画像の一部の位置に各データオブジェクトの識別子をラベリングすることは、データオブジェクトの識別子及びデータオブジェクトの画像が同一の座標位置を有する状況に限定されない。一実施態様では、品物の識別子が品物の画像部分をブロックすることを防止するために、品物の識別子はまた、品物の画像の上側左角部または下側右角部等の位置にラベリングされてもよい。例えば、「サーモカップ」に類似する識別子は、カップを識別及び例証するために、合成画像内にカップの画像の上側左角部にラベリングされ、ユーザがカップ等の画像によって表される意味を考える及び理解することを容易にする。
【００４０】
具体的な実施態様では、各データオブジェクトの識別子は、カスケーディングスタイルシート（ＣＳＳ）の絶対位置決め方法を使用して、データオブジェクトの画像のそれぞれの一部の対応する位置に、ページ要素としてラベリングされてもよい。他の方法はまた、ラベリングのために使用されてもよく、具体的なラベリング方法は、本願において限定されない。
【００４１】
本願の実施形態では、少なくとも２つのデータオブジェクトを取得するために、検索が１つ以上のキーワードによって実施された後に、各データオブジェクトの識別子はさらに、決定されてもよく、識別子は、それぞれのデータオブジェクトを識別及び説明するために、生成される合成画像内に含まれる。そのため、ユーザはさらに、合成画像を視認することに加えて、テキスト等の識別子からデータオブジェクトを把握することができる。
【００４２】
一実施態様では、画像の抽出された少なくとも一部に基づいて合成画像を生成することは、具体的には、異なるサイズ及び／または位置によって、各データオブジェクトと関連付けられるそれぞれの画像の一部を合成し、指定サイズの合成画像を生成することを含んでもよい。
【００４３】
具体的な実施態様では、指定サイズは、品物表示ページ上の品物の広告スペースのサイズによって、決定されてもよい。
【００４４】
本願の複数の実施形態では、複数のデータオブジェクトの画像の一部は、指定サイズの合成画像を生成するために、異なるサイズ、位置等によって、合成され、それによって、そのように生成された合成画像は、表示サイズの要求を満たすことができる。
【００４５】
一実施態様では、データオブジェクトは、複数の商業店舗における検索から取得されてもよい。
【００４６】
既存の技術では、店主が品物情報の組み合わせの公開を行うことを望む場合、設計者は、概して、合成画像を生成する必要があり、合成画像は、その店主の商品に限定される。このタイプの方法は、単体の分類の品物を販売する店主にとって好適ではない。本願の複数の実施形態では、品物は、サーバによって決定され、サーバは、全域の店舗における自動検索を実施することができ、これは、人件費を減らすだけではなく品物の組み合わせの範囲を拡大させる。
【００４７】
本願の実施態様を容易にするために、Ｔａｏｂａｏ（商標）ウェブサイトの商品販売促進が、例証図のために以下に一実施例として使用される。
【００４８】
現在、Ｔａｏｂａｏ（商標）ウェブサイトの店主は、Ｔａｏｂａｏ（商標）ウェブサイトのページ上の販売促進のために、数個の好調な売り上げの商品を選択してもよい。単体商品の販売促進の期間中、店主は、一般消費者による検索を容易にするために、「ガールフレンドへの中国のバレンタインデーのプレゼント、独創的なハート型のシルバーネックレス」等のそれぞれ商品毎にいくつかの商品記述用語を設定してもよい。広告スペース内で促される商品は、単なる各店主によって設定される好調な売り上げの単体商品にすぎず、単体商品のこの販売促進アプローチは、所望の販売促進効果を達成しない。
【００４９】
従って、本願の実施形態は、店主の好調な売り上げの商品を組み合わせることを提案し、販売促進用広告として一般消費者のための商品をマッチさせる技術的スキームを提供し、それによって、販売促進効果を向上させ、商品取引の成功を促進する。
【００５０】
一般消費者がＴａｏｂａｏ（商標）ウェブサイトの検索フィールドに「ガールフレンドのための韓国風衣類」等の情報を入力するとき、本願の複数の実施形態は、「ガールフレンドのための韓国風衣類」の情報から「韓国風」等のキーワードを抽出し得る。次に、好調な売り上げの商品販売促進（例えば、事前にウェブサイト上で作られる質の高い製品ベース」）から、「韓国風」のようなスタイルを有する衣類、アクセサリ、シューズ、バッグ等は、衣類、アクセサリ、シューズ、及びバッグのこれらの４つの分類で事前設定されたスタイルを満たす単体商品の画像を決定するために、店主によって設定される単体商品の記述用語及び商品が属するそれぞれの分類に従って、店舗の中から検索される。例えば、４つの単体商品の画像は、図２の左側に示される。
【００５１】
さらに、各単体商品に対応するキーワードは、それぞれの商品画像に関して決定されてもよい。例えば、商品「ガールフレンドへの中国のバレンタインデーのプレゼント、独創的なハート型のシルバーネックレス」に関するキーワードは、「シルバーネックレス」として設定されてもよい。
【００５２】
４つの単体商品の画像は、ベイズ等のカットアウトアルゴリズムを使用して、切り取られる。それぞれの白い背景は、白い背景がある単体商品画像から削除され、単体商品画像は、カットアウトによって取得される。４つの単体商品の画像は、色、テクスチャ、及び形状等の特徴値によってマッチされ、次に、そのようなマッチングの解決策を表示する画像に合成される。合成画像は、一定のスケールに従った異なるサイズまで単体商品画像を縮小／拡大することによって、及び異なる配置レイアウトに従ったその組み合わせによって、生成される広告スペースのサイズを有する合成画像であってもよい。
【００５３】
本願の実施形態では、各単体商品画像の配置レイアウトは、合成画像内でそれぞれの単体商品画像の座標に変換されてもよい。各単体商品のキーワードは、ＣＳＳ絶対位置決め方法によって、それぞれの単体商品画像の座標（すなわち、対応する単体商品の位置）に、ページ要素としてラベリングされる。単体商品のＵＲＬアドレスは、ｉｍｇラベルのマップ及びエリア属性を使用して、それぞれのキーワード要素の位置に位置し、合成画像内の各商品は、自動的にラベリングされ、そのラベルは、商品の詳細ページにリンクされ、それによって、自動ラベリングの対象を実行する。
【００５４】
合成画像は、それぞれの座標、キーワード、ＵＲＬアドレス、名称、及び／または単体商品画像のソース経路、合成画像のソース等を含んでもよい。
【００５５】
最後に、一般消費者に対してマッチング解決策を提供するために、詳細ページリンクでラベリングされた広告画像（すなわち、生成された合成画像）は、一般消費者に強く勧められ、一般消費者のＴａｏｂａｏ（商標）ページの右側または下側の広告スペース内に表示される。図２は、実施例として、衣類、アクセサリ、シューズ、及びバッグを使用した概略図を示し、ユーザに対してブラウザページによって提示される広告画像は、図２の右側に示されるような画像のようなものであってもよい。
【００５６】
店舗の至る所で、画像を自動的にマッチングさせ、切り取り、及び合成することによって、並びに現在の電子商取引産業で最も人気のある衣類分類商品に関する商品リンクを自動的にラベリングすることによって、本願の複数の実施形態は、衣類商品の効率的な販売促進を達成し、それによって、ＰＣ端末及び携帯端末上での商品の自動組み合わせ及び販売促進の問題を解決し、同時に、かなりの額のマニュアル設計費及び運営費を節約する。
【００５７】
同一の発明に関する着想に基づいて、本願の複数の実施形態はさらに、情報公開装置を提供する。これらのデバイスの問題解決の原理は、情報公開方法の原理に類似するため、これらのデバイスの実施態様は、本方法の実施態様を参照して実施されてもよく、同一の部分は、本明細書に繰り返して説明されない。
【００５８】
図３は、本願の複数の実施形態による、情報公開装置の概略的構造図である。図に示されるように、情報公開装置は、ユーザの入力情報を受信するように構成される受信モジュール３０１と、１つ以上のキーワードをユーザの入力情報から抽出し、少なくとも２つのデータオブジェクトを取得するために、１つ以上のキーワードに基づいて検索を実施するように構成される、データオブジェクト検索モジュール３０２であって、各データオブジェクトは、少なくとも１つの写真を含む、当該データオブジェクト検索モジュール３０２と、少なくとも一部の画像を少なくとも２つのデータオブジェクトのそれぞれの写真から抽出し、抽出された少なくとも一部の画像によって合成画像を生成するように構成される生成モジュール３０３と、合成画像をユーザに送信するように構成される送信モジュール３０４とを含んでもよい。
【００５９】
一実施態様では、生成モジュール３０３は、具体的には、抽出された少なくとも一部の画像及びそれぞれの各データオブジェクトのリンク情報に基づいて、合成画像を生成するように構成されてもよい。
【００６０】
一実施態様では、データオブジェクト検索モジュール３０２は、具体的には、少なくとも２つのデータオブジェクトを取得するために、異なる分類を検索するように構成されてもよい。
【００６１】
一実施態様では、情報公開装置はさらに、少なくとも２つのデータオブジェクトを取得するために、１つ以上のキーワードに基づいて検索を実施した後に、各データオブジェクトの識別子を決定するように構成される、識別子決定モジュール３０５を含んでもよい。生成モジュール３０３はさらに、抽出された少なくとも一部の画像及び各データオブジェクトの識別子に基づいて、合成画像を生成するように構成されてもよい。
【００６２】
一実施態様では、生成モジュール３０３は、具体的には、異なるサイズ及び／または位置によって、データオブジェクトの一部の画像を合成し、指定サイズの合成画像を生成するように構成されてもよい。
【００６３】
一実施態様では、データオブジェクト検索モジュール３０２は、具体的には、少なくとも２つのデータオブジェクトを取得するために、複数の商業店舗において検索を行うように構成されてもよい。
【００６４】
記述のために、本装置の構成要素は、個々の記述に関する機能性に基づいて、異なるタイプのモジュールまたはユニットに分類される。明らかに、本願が実行されるとき、モジュールまたはユニットの機能は、１個以上のソフトウェアコンポーネント及び／またはハードウェアコンポーネントで実行されてもよい。
【００６５】
当業者は、本願の複数の実施形態が方法、装置、またはコンピュータプログラム製品として提供され得ることを理解するはずである。従って、本願は、完全なハードウェア実施形態、完全なソフトウェア実施形態、またはソフトウェア及びハードウェアの組み合わせである実施形態の形態で実行されてもよい。さらに、本願は、コンピュータ使用可能プログラムコードを含む、１つ以上のコンピュータ使用可能ストレージ媒体（限定ではないが、磁気ディスクメモリ、ＣＤ−ＲＯＭ、光メモリ、及び同等物を含む）上に実装されるコンピュータプログラム製品の形態を採用してもよい。
【００６６】
本開示は、本開示の複数の実施形態による、方法、デバイス（システム）、及びコンピュータプログラム製品のフローチャート及び／またはブロック図を参照して説明される。コンピュータプログラム命令は、フローチャート及び／もしくはブロック図における各プロセス並びに／またはブロックと、フローチャート及び／もしくはブロック図におけるプロセス（複数可）並びに／またはブロック（複数可）の組み合わせとを実行するために使用され得ることを理解されたい。これらのコンピュータプログラム命令は、汎用コンピュータ、専用コンピュータ、組み込みプロセッサ、または機械を起動させる別のプログラム可能データ処理デバイスのプロセッサに提供されてもよく、それによって、コンピュータまたは別のプログラム可能データ処理デバイスのプロセッサによって実行される命令は、フローチャートの１つ以上のプロセス及び／またはブロック図の１つ以上のブロックに定められた機能（複数可）を実行するための装置を生成する。
【００６７】
これらのコンピュータプログラム命令はまた、特定の様式で動作を行うことをコンピュータまたは別のプログラム可能データ処理デバイスに命令することができる、コンピュータ可読ストレージデバイス内に記憶されてもよく、それによって、コンピュータ可読ストレージデバイス内に記憶される命令は、命令装置を含む製造品を生成する。命令装置は、フローチャートの１つ以上のプロセス及び／またはブロック図の１つ以上のブロックに定められた機能（複数可）を実行する。
【００６８】
これらのコンピュータプログラム命令はまた、コンピュータ、または別のプログラム可能データ処理デバイス上にロードされてもよく、これによって、一連の動作は、コンピュータまたは他のプログラム可能デバイス上で実施され、それにより、コンピュータ実行処理を発生させる。従って、コンピュータまたは他のプログラム可能デバイス上で実行される命令は、フローチャートの１つ以上のプロセス及び／またはブロック図の１つ以上のブロックに定められた機能（複数可）を実行するための手順を提供する。
【００６９】
本願の好ましい複数の実施形態が説明されているが、当業者は、いったん基本的な発明概念を把握してから、これらの実施形態への他の変更及び修正をしてもよい。従って、添付の請求項は、本願の範囲内に収まる、好ましい実施形態、並びに全ての変更及び修正を含むものとして解釈されることが意図される。
【図１】
2018509684.tif 000004
【図２】
2018509684.tif 000005
【図３】
2018509684.tif 000006
【国際調査報告】
2018509684.tif 000007
2018509684.tif 000008
2018509684.tif 000009
2018509684.tif 000010
2018509684.tif 000011